【事件の表示】
　特願２００１−２５４９３３「情報処理装置及び情報処理方法、プログラム格納媒体、並びにプログラム」拒絶査定不服審判事件〔平成１５年　３月　７日出願公開、特開２００３−　６７３７９〕について、次のとおり審決する。
【結　論】
　本件審判の請求は、成り立たない。
【理　由】
　
第１　手続の経緯  
　 
　本願は、平成１３年８月２４日の出願であって、平成２２年１１月２６日付けの拒絶理由通知に対して平成２３年１月３１日付けで手続補正がなされたが、同年３月２２日付けで拒絶査定がなされ、これに対し、同年６月２９日付けで拒絶査定不服審判が請求されるとともに手続補正がなされ、その後、平成２４年６月２７日付けの審尋に対し、同年７月１７日付けで回答書が提出されたものである。  
　 
　 
第２　平成２３年６月２９日付けの手続補正についての補正却下の決定  
　 
［補正却下の決定の結論］  
　平成２３年６月２９日付けの手続補正（以下「本件補正」という。）を却下する。  
　 
［理由］  
　 
１　本件補正  
　 
　本件補正は、特許請求の範囲について、本件補正前に、  
「【請求項１】　文書中に少なくとも画像情報を埋め込むことができる記述言語により作成された所定形式のテキスト文書を画面上に表示する情報処理装置において、
　前記画面上に表示された所定形式のテキスト文書中の位置情報文字列を自動的に抽出する位置情報文字列抽出手段と、
　前記位置情報文字列抽出手段により抽出された前記位置情報文字列の示す住所または電話番号の地点情報を地点情報データベースで探索し、探索されたその地点情報が示す緯度経度情報を生成する地点探索手段と、
　前記地点探索手段により生成された緯度経度情報をもとに、地図情報データベースから地図情報を読みだして周辺の地図画像を生成する地図画像生成手段と、
　前記地図画像生成手段により生成された地図画像を前記画面上に表示された所定形式のテキスト文書中に合成するテキスト文書合成手段とを備え、
　前記テキスト文書合成手段により合成された所定形式のテキスト文書を前記画面上に表示する情報処理装置。
　【請求項２】　前記記述言語により作成された所定形式のテキスト文書は、情報提供装置からネットワークを介して送られてくる請求項１記載の情報処理装置。
　【請求項３】　前記所定形式の文書を操作者の所望に応じて上記情報提供装置から上記ネットワークを介して取り寄せるブラウザを起動する請求項２記載の情報処理装置。
　【請求項４】　前記記述言語はＨＴＭＬ（HyperText Markup Language）であり、前記所定形式のテキスト文書はＨＴＭＬ文書である請求項２又は３記載の情報処理装置。
　【請求項５】　文章中に少なくとも画像情報を埋め込むことができる記述言語により作成された所定形式のテキスト文書を画面上に表示する情報処理方法において、
　コンピュータに、
　前記画面上に表示された所定形式のテキスト文書中の位置情報文字列を自動的に抽出する位置情報文字列抽出工程と、
　前記位置情報文字列抽出工程により抽出された前記位置情報文字列の示す住所または電話番号の地点情報を地点情報データベースで探索し、探索されたその地点情報が示す緯度経度情報を生成する地点探索工程と、
　前記地点探索工程により生成された緯度経度情報をもとに、地図情報データベースから地図情報を読みだして周辺の地図画像を生成する地図画像生成工程と、
　前記地図画像生成手段により生成された地図画像を前記画面上に表示された所定形式のテキスト文書中に合成するテキスト文書合成工程と、
　前記テキスト文書合成工程により合成された所定形式のテキスト文書を前記画面上に表示する表示工程と
　を実行させる情報処理方法。
　【請求項６】　文章中に少なくとも画像情報を埋め込むことができる記述言語により作成された所定形式のテキスト文書を画面上に表示するための情報処理プログラムを格納しているプログラム格納媒体において、
　コンピュータに、
　前記画面上に表示された所定形式のテキスト文書中の位置情報文字列を自動的に抽出する位置情報文字列抽出工程と、
　前記位置情報文字列抽出工程により抽出された前記位置情報文字列の示す住所または電話番号の地点情報を地点情報データベースで探索し、探索されたその地点情報が示す緯度経度情報を生成する地点探索工程と、
　前記地点探索工程により生成された緯度経度情報をもとに、地図情報データベースから地図情報を読みだして周辺の地図画像を生成する地図画像生成工程と、
　前記地図画像生成手段により生成された地図画像を前記画面上に表示された所定形式のテキスト文書中に合成するテキスト文書合成工程と、
　前記テキスト文書合成工程により合成された所定形式のテキスト文書を前記画面上に表示する表示工程と
　を実行させるための情報処理プログラムを格納しているプログラム格納媒体。
　【請求項７】　文章中に少なくとも画像情報を埋め込むことができる記述言語により作成された所定形式のテキスト文書を情報処理装置の画面上に表示するためのプログラムであって、
　コンピュータに、
　前記画面上に表示された所定形式のテキスト文書中の位置情報文字列を自動的に抽出する位置情報文字列抽出工程と、
　前記位置情報文字列抽出工程により抽出された前記位置情報文字列の示す住所または電話番号の地点情報を地点情報データベースで探索し、探索されたその地点情報が示す緯度経度情報を生成する地点探索工程と、
　前記地点探索工程により生成された緯度経度情報をもとに、地図情報データベースから地図情報を読みだして周辺の地図画像を生成する地図画像生成工程と、
　前記地図画像生成手段により生成された地図画像を前記画面上に表示された所定形式のテキスト文書中に合成するテキスト文書合成工程と、
　前記テキスト文書合成工程により合成された所定形式のテキスト文書を前記画面上に表示する表示工程と
　を実行させるためのプログラム。
　【請求項８】　文書中に少なくとも画像情報を埋め込むことができる記述言語により作成された所定形式のテキスト文書を画面上に表示する情報処理装置において、
　前記画面上に表示された所定形式のテキスト文書中の位置情報文字列を自動的に抽出する位置情報文字列抽出手段と、
　前記位置情報文字列抽出手段により抽出された前記位置情報文字列の示す住所または電話番号の地点情報を地点情報データベースで探索し、探索されたその地点情報が示す緯度経度情報を生成する地点探索手段と、
　前記地点探索手段により生成された地点の緯度経度情報をもとに、経路情報データベースから経路情報を読みだして現在地から前記地点探索手段により生成された地点に至る経路を探索する経路探索手段と、
　前記経路探索手段により出力された経路情報をもとに、地図情報データベースから地図情報を読みだして前記経路を全て包含した地図画像を生成する地図画像生成手段と、
　前記地図画像生成手段により生成された地図画像を前記画面上に表示された所定形式のテキスト文書中に合成するテキスト文書合成手段とを備え、
　前記テキスト文書合成手段により合成された所定形式のテキスト文書を前記画面上に表示する情報処理装置。
　【請求項９】　前記記述言語により作成された所定形式のテキスト文書は、情報提供装置からネットワークを介して送られてくる請求項８記載の情報処理装置。
　【請求項１０】　前記所定形式の文書を操作者の所望に応じて上記情報提供装置から上記ネットワークを介して取り寄せるブラウザを起動する請求項９記載の情報処理装置。
　【請求項１１】　前記記述言語はＨＴＭＬ（HyperText Markup Language）であり、前記所定形式のテキスト文書はＨＴＭＬ文書である請求項９又は１０記載の情報処理装置。
　【請求項１２】　文章中に少なくとも画像情報を埋め込むことができる記述言語により作成された所定形式のテキスト文書を画面上に表示する情報処理方法において、
　コンピュータに、
　前記画面上に表示された所定形式のテキスト文書中の位置情報文字列を自動的に抽出する位置情報文字列抽出工程と、
　前記位置情報文字列抽出工程により抽出された前記位置情報文字列の示す住所または電話番号の地点情報を地点情報データベースで探索し、探索されたその地点情報が示す緯度経度情報を生成する地点探索工程と、
　前記地点探索工程により生成された地点の緯度経度情報をもとに、経路情報データベースから経路情報を読みだして現在地から前記地点探索手段により生成された地点に至る経路を探索する経路探索工程と、
　前記経路探索工程により出力された経路情報をもとに、地図情報データベースから地図情報を読みだして前記経路を全て包含した地図画像を生成する地図画像生成工程と、
　前記地図画像生成手段により生成された地図画像を前記画面上に表示された所定形式のテキスト文書中に合成するテキスト文書合成工程と、
　前記テキスト文書合成工程により合成された所定形式のテキスト文書を前記画面上に表示する表示工程と
　を実行させる情報処理方法。
　【請求項１３】　文章中に少なくとも画像情報を埋め込むことができる記述言語により作成された所定形式のテキスト文書を画面上に表示するための情報処理プログラムを格納しているプログラム格納媒体において、
　コンピュータに、
　前記画面上に表示された所定形式のテキスト文書中の位置情報文字列を自動的に抽出する位置情報文字列抽出工程と、
　前記位置情報文字列抽出工程により抽出された前記位置情報文字列の示す住所または電話番号の地点情報を地点情報データベースで探索し、探索されたその地点情報が示す緯度経度情報を生成する地点探索工程と、
　前記地点探索工程により生成された地点の緯度経度情報をもとに、経路情報データベースから経路情報を読みだして現在地から前記地点探索手段により生成された地点に至る経路を探索する経路探索工程と、
　前記経路探索工程により出力された経路情報をもとに、地図情報データベースから地図情報を読みだして前記経路を全て包含した地図画像を生成する地図画像生成工程と、
　前記地図画像生成手段により生成された地図画像を前記画面上に表示された所定形式のテキスト文書中に合成するテキスト文書合成工程と、
　前記テキスト文書合成工程により合成された所定形式のテキスト文書を前記画面上に表示する表示工程と
　を実行させる情報処理プログラムを格納しているプログラム格納媒体。
　【請求項１４】　文章中に少なくとも画像情報を埋め込むことができる記述言語により作成された所定形式のテキスト文書を情報処理装置の画面上に表示するためのプログラムであって、
　前記画面上に表示された所定形式のテキスト文書中の位置情報文字列を自動的に抽出する位置情報文字列抽出工程と、
　前記位置情報文字列抽出工程により抽出された前記位置情報文字列の示す住所または電話番号の地点情報を地点情報データベースで探索し、探索されたその地点情報が示す緯度経度情報を生成する地点探索工程と、
　前記地点探索工程により生成された地点の緯度経度情報をもとに、経路情報データベースから経路情報を読みだして現在地から前記地点探索手段により生成された地点に至る経路を探索する経路探索工程と、
　前記経路探索工程により出力された経路情報をもとに、地図情報データベースから地図情報を読みだして前記経路を全て包含した地図画像を生成する地図画像生成工程と、
　前記地図画像生成手段により生成された地図画像を前記画面上に表示された所定形式のテキスト文書中に合成するテキスト文書合成工程と、
　前記テキスト文書合成工程により合成された所定形式のテキスト文書を前記画面上に表示する表示工程と
　を実行させるプログラム。」  
とあったところを、  
　 
「【請求項１】　文書中に少なくとも画像情報を埋め込むことができる記述言語により作成された所定形式のテキスト文書を画面上に表示する情報処理装置において、
　前記画面上に表示された所定形式のテキスト文書中の位置情報文字列を自動的に抽出する位置情報文字列抽出手段と、
　前記位置情報文字列抽出手段により抽出された前記位置情報文字列の示す住所または電話番号の地点情報を地点情報データベースで探索し、探索されたその地点情報が示す緯度経度情報を生成する地点探索手段と、
　前記地点探索手段により生成された緯度経度情報をもとに、地図情報データベースから地図情報を読みだして上記緯度経度情報の周辺の地図画像を生成する地図画像生成手段と、
　前記地図画像生成手段により生成された上記緯度経度情報の周辺の地図画像を前記画面上に表示された所定形式のテキスト文書中に合成するテキスト文書合成手段とを備え、
　前記テキスト文書合成手段により合成された所定形式のテキスト文書を前記画面上に表示する情報処理装置。
　【請求項２】　前記記述言語により作成された所定形式のテキスト文書は、情報提供装置からネットワークを介して送られてくる請求項１記載の情報処理装置。
　【請求項３】　前記所定形式の文書を操作者の所望に応じて上記情報提供装置から上記ネットワークを介して取り寄せるブラウザを起動する請求項２記載の情報処理装置。
　【請求項４】　前記記述言語はＨＴＭＬ（HyperText Markup Language）であり、前記所定形式のテキスト文書はＨＴＭＬ文書である請求項２又は３記載の情報処理装置。
　【請求項５】　文章中に少なくとも画像情報を埋め込むことができる記述言語により作成された所定形式のテキスト文書を画面上に表示する情報処理方法において、
　コンピュータに、
　前記画面上に表示された所定形式のテキスト文書中の位置情報文字列を自動的に抽出する位置情報文字列抽出工程と、
　前記位置情報文字列抽出工程により抽出された前記位置情報文字列の示す住所または電話番号の地点情報を地点情報データベースで探索し、探索されたその地点情報が示す緯度経度情報を生成する地点探索工程と、
　前記地点探索工程により生成された緯度経度情報をもとに、地図情報データベースから地図情報を読みだして上記緯度経度情報の周辺の地図画像を生成する地図画像生成工程と、
　前記地図画像生成手段により生成された上記緯度経度情報の周辺の地図画像を前記画面上に表示された所定形式のテキスト文書中に合成するテキスト文書合成工程と、
　前記テキスト文書合成工程により合成された所定形式のテキスト文書を前記画面上に表示する表示工程と
　を実行させる情報処理方法。
　【請求項６】　文章中に少なくとも画像情報を埋め込むことができる記述言語により作成された所定形式のテキスト文書を画面上に表示するための情報処理プログラムを格納しているプログラム格納媒体において、
　コンピュータに、
　前記画面上に表示された所定形式のテキスト文書中の位置情報文字列を自動的に抽出する位置情報文字列抽出工程と、
　前記位置情報文字列抽出工程により抽出された前記位置情報文字列の示す住所または電話番号の地点情報を地点情報データベースで探索し、探索されたその地点情報が示す緯度経度情報を生成する地点探索工程と、
　前記地点探索工程により生成された緯度経度情報をもとに、地図情報データベースから地図情報を読みだして上記緯度経度情報の周辺の地図画像を生成する地図画像生成工程と、
　前記地図画像生成手段により生成された上記緯度経度情報の周辺の地図画像を前記画面上に表示された所定形式のテキスト文書中に合成するテキスト文書合成工程と、
　前記テキスト文書合成工程により合成された所定形式のテキスト文書を前記画面上に表示する表示工程と
　を実行させるための情報処理プログラムを格納しているプログラム格納媒体。
　【請求項７】　文章中に少なくとも画像情報を埋め込むことができる記述言語により作成された所定形式のテキスト文書を情報処理装置の画面上に表示するためのプログラムであって、
　コンピュータに、
　前記画面上に表示された所定形式のテキスト文書中の位置情報文字列を自動的に抽出する位置情報文字列抽出工程と、
　前記位置情報文字列抽出工程により抽出された前記位置情報文字列の示す住所または電話番号の地点情報を地点情報データベースで探索し、探索されたその地点情報が示す緯度経度情報を生成する地点探索工程と、
　前記地点探索工程により生成された緯度経度情報をもとに、地図情報データベースから地図情報を読みだして上記緯度経度情報の周辺の地図画像を生成する地図画像生成工程と、
　前記地図画像生成手段により生成された上記緯度経度情報の周辺の地図画像を前記画面上に表示された所定形式のテキスト文書中に合成するテキスト文書合成工程と、
　前記テキスト文書合成工程により合成された所定形式のテキスト文書を前記画面上に表示する表示工程と
　を実行させるためのプログラム。」
とする補正を含むものである。 
　 
　本件補正について検討するに、  
　 
　本件補正は、本件補正前の請求項１、５、６、７に記載された「地図情報データベースから地図情報を読みだして周辺の地図画像を生成する」との発明特定事項、「前記地図画像生成手段により生成された地図画像」との発明特定事項を、それぞれ、「地図情報データベースから地図情報を読みだして上記緯度経度情報の周辺の地図画像を生成する」、「前記地図画像生成手段により生成された上記緯度経度情報の周辺の地図画像」と限定するものである。
　 
　よって、本件補正は、補正前の請求項に記載された発明を特定するために必要な事項を限定するものであるから、平成１８年法律第５５号改正附則第３条第１項によりなお従前の例によるとされる同法による改正前の特許法（以下「平成１８年改正前の特許法」という。）第１７条の２第４項第２号に掲げる特許請求の範囲の減縮を目的とするものに該当する。  
　 
　そこで、本件補正後における特許請求の範囲に記載されている事項により特定される請求項１に係る発明（以下「本願補正発明」という。）が特許出願の際独立して特許を受けることができるものであるか（平成１８年改正前の特許法第１７条の２第５項において準用する同法第１２６条第５項に規定する要件を満たすか）について以下に検討する。  
　 
　本願補正発明は、再掲すれば、次に記載するとおりのものである。  
　 
「文書中に少なくとも画像情報を埋め込むことができる記述言語により作成された所定形式のテキスト文書を画面上に表示する情報処理装置において、
　前記画面上に表示された所定形式のテキスト文書中の位置情報文字列を自動的に抽出する位置情報文字列抽出手段と、
　前記位置情報文字列抽出手段により抽出された前記位置情報文字列の示す住所または電話番号の地点情報を地点情報データベースで探索し、探索されたその地点情報が示す緯度経度情報を生成する地点探索手段と、
　前記地点探索手段により生成された緯度経度情報をもとに、地図情報データベースから地図情報を読みだして上記緯度経度情報の周辺の地図画像を生成する地図画像生成手段と、
　前記地図画像生成手段により生成された上記緯度経度情報の周辺の地図画像を前記画面上に表示された所定形式のテキスト文書中に合成するテキスト文書合成手段とを備え、
　前記テキスト文書合成手段により合成された所定形式のテキスト文書を前記画面上に表示する情報処理装置。」 
　 
　 
２　引用例、周知例及びその記載事項  
　 
（１）原査定の拒絶の理由に引用され、本願の出願の日前に頒布された刊行物である特開２０００−７６２８５号公報（平成１２年３月１４日公開、以下「引用例１」という。）には、図面とともに以下の事項が記載されている（なお、下線は当審で付した。）。　 
　 
（ａ）「【要約】
【課題】  WEBページに表示されている位置情報を有効に用いる。
【解決手段】  
key抽出部１１５は、
WEBページに表示される位置情報、例えば、住所、電話番号などを抽出し、その抽出した位置情報に対応する位置を位置検索部１１７により検索させる。位置検索部１１７は、検索した位置に関するデータを地図読み込み部１１８に出力する。地図読み込み部１１８は、入力した位置に関するデータに基づいて、地図データが記録されているCD-ROM１１９から地図データを読み出し、その読み出した地図データを地図表示部１１３により表示させる。
　
（ｂ）「【０００１】
【発明の属する技術分野】
本発明は
受信したWEBページから位置情報を抽出し、その抽出した位置情報に対応する位置を含む地図を表示させるようにした情報処理装置
に関する。
　
（ｃ）「【００１２】図１乃至図６は、
本発明を適用した携帯型パーソナルコンピュータ
　
（ｄ）「【００３６】
図８は、パーソナルコンピュータ１の機能ブロック図である。
地図表示部１１３は、表示部３に相当
key抽出部１１５
位置検索部１１７
【００３７】また、
地図読み込み部１１８は、
位置検索部１１７から出力されたデータに基づいて、
CD-ROM１１９から地図データを読み出し、その読み出した地図データを地図表示部１１３に表示させる。
　
（ｅ）「【００５１】説明をステップＳ１０（図１１）に戻し、
受信されたWEBページに
都道府県名を現す文字列が存在している判断された場合、
その存在していた文字列（位置情報）がRAM５４に記憶され、
【００５２】ステップＳ１２において、
市区町村名を現す文字列が存在したと判断された場合、
その文字列の示す市区町村名から、都道府県名が内蔵するデータベースから検索され、その検索された都道府県名を、その市区町村名に追加した形で、
RAM５４に記憶される。
　
（ｆ）「【００７２】
図１７は、位置検索処理の詳細を説明するフローチャートである。このフローチャートの処理は、位置検索部１１７により、
都道府県名が一致するデータがCD-ROM１１９に記憶されているか否かが判断される。
　
（ｇ）「【００７５】一方、ステップＳ４１において、
一致する都道府県名がCD-ROM１１９に記憶されていると判断された場合、
CD-ROM１１９に記憶されているデータに、
市区町村と一致するデータが存在するか否かが判断される。
　
（ｈ）「【００８７】ステップＳ５２の処理により、
位置情報が抽出されたら、
WEBページ上に、抽出された位置情報の近傍に、所定のボタンを表示させる為に、そのWEBページのHTML（Hyper Text Markup Language）を書き換える。HTMLが書き換えられたことにより、表示部３に表示されるWEBページの表示例を図２０に示す。
【００８８】
図２０に示した表示例では、WEBページ表示領域に、ユーザが指定したWEBページが表示されている。そして、
受信されたHTMLが書き換えられることにより、ｍａｐボタン１６２が表示されている。このｍａｐボタン１６２は、
抽出された位置情報の近傍に表示されている。
　
（ｉ）「【００９１】図１９のフローチャートの説明に戻り、ステップＳ５３において、
受信されたHTMLが書き換えられることにより、ｍａｐボタン１６２がWEBページ上に表示されたら、
その表示されたｍａｐボタン１６２が操作されたか否かが判断される。
操作された判断された場合、
操作されたｍａｐボタン１６２に対応する位置情報に対して、図１７のフローチャートで説明した位置検索処理により、位置検査が行われ、その検索された位置を含む地図が
表示される。
　
（ｊ）図２０には、テキスト文書を含むＷＥＢページを画面上に表示することが示されている。
　
（ｋ）図２０において、ｍａｐボタンが近傍に表示される位置情報が、電話番号や、住所を表す文字列であることが示されている。
　
　
ア　上記（ｂ）の「【０００１】【発明の属する技術分野】本発明は‥‥‥受信したWEBページから位置情報を抽出し、その抽出した位置情報に対応する位置を含む地図を表示させるようにした情報処理装置‥‥‥に関する。」との記載、上記（ｃ）の「【００１２】‥‥‥本発明を適用した携帯型パーソナルコンピュータ‥‥‥」との記載から、「パーソナルコンピュータ」は、「情報処理装置」に対応するものということができる。
　
イ　上記（ｄ）の「【００３６】図８は、パーソナルコンピュータ１の機能ブロック図である。‥‥‥地図表示部１１３は、表示部３に相当‥‥‥key抽出部１１５‥‥‥位置検索部１１７‥‥‥【００３７】‥‥‥地図読み込み部１１８‥‥‥CD-ROM１１９‥‥‥」との記載から、引用例１には、「パーソナルコンピュータは、表示部（地図表示部）、key抽出部、位置検索部、地図読み込み部、CD-ROMを備えること」が記載されているということができる。
　
ウ　上記（ｈ）の「【００８７】‥‥‥WEBページ上に、抽出された位置情報の近傍に、所定のボタンを表示させる為に、そのWEBページのHTML（Hyper Text Markup Language）を書き換える。HTMLが書き換えられたことにより、表示部３に表示されるWEBページの表示例を図２０に示す。」との記載、及び「テキスト文書を含むＷＥＢページを画面上に表示する」（上記（ｊ））こと、そして、上記イから、引用例１の「パーソナルコンピュータ」は「表示部（地図表示部）」を備えるものであることから、引用例１には、「ＨＴＭＬにより作成された、テキスト文書を含むＷＥＢページを画面上に表示するパーソナルコンピュータ」が記載されているということができる。
　 
エ　上記イから、引用例１の「パーソナルコンピュータ」は「key抽出部」を備えるものであって、上記（ａ）の「‥‥‥【解決手段】key抽出部１１５は、‥‥‥WEBページに表示される位置情報、例えば、住所、電話番号などを抽出し、」との記載、上記（ｅ）の「【００５１】‥‥‥受信されたWEBページに‥‥‥都道府県名を現す文字列が存在している判断された場合、‥‥‥その存在していた文字列（位置情報）がRAM５４に記憶され、‥‥‥【００５２】‥‥‥市区町村名を現す文字列が存在したと判断された場合、‥‥‥その文字列の示す市区町村名から、都道府県名が内蔵するデータベースから検索され、その検索された都道府県名を、その市区町村名に追加した形で、‥‥‥RAM５４に記憶される。‥‥‥」との記載から、抽出される位置情報は、位置情報文字列であるということができ、また、文字列をＷＥＢページに表示されるテキスト文書中から検出することは常套手段であるから、引用例１に記載の「パーソナルコンピュータ」は、「ＷＥＢページに表示されるテキスト文書中から、住所、電話番号の位置情報文字列を検出する処理を行うkey抽出部」を備えるものということができる。
　 
オ　上記（ｈ）の「【００８７】‥‥‥位置情報が抽出されたら、‥‥‥WEBページ上に、抽出された位置情報の近傍に、所定のボタンを表示させる為に、そのWEBページのHTML（Hyper Text Markup Language）を書き換える。HTMLが書き換えられたことにより、表示部３に表示されるWEBページの表示例を図２０に示す。【００８８】図２０に示した表示例では、WEBページ表示領域に、ユーザが指定したWEBページが表示されている。そして、‥‥‥受信されたHTMLが書き換えられることにより、ｍａｐボタン１６２が表示されている。このｍａｐボタン１６２は、‥‥‥抽出された位置情報の近傍に表示されている。‥‥‥」との記載、及び「ｍａｐボタンが近傍に表示される位置情報が、電話番号や、住所を表す文字列であること」（上記（ｋ））から、引用例１には、「位置情報文字列が抽出されると、ＷＥＢページのＨＴＭＬを書き換えて、抽出された位置情報文字列の近傍に、ｍａｐボタンを表示する」ことが記載されているということができる。
　
カ　上記（ａ）の「‥‥‥【解決手段】key抽出部１１５は、‥‥‥WEBページに表示される位置情報、例えば、住所、電話番号などを抽出し、その抽出した位置情報に対応する位置を位置検索部１１７により検索させる。位置検索部１１７は、検索した位置に関するデータを地図読み込み部１１８に出力する。‥‥‥」との記載から、抽出した住所等の位置情報に対応する位置を検索する位置検索部は、検索した位置に関するデータを地図読み込み部に出力するものである。
　そして、位置検索部について、具体的には、上記（ｉ）の「【００９１】‥‥‥受信されたHTMLが書き換えられることにより、ｍａｐボタン１６２がWEBページ上に表示されたら、‥‥‥その表示されたｍａｐボタン１６２が操作されたか否かが判断される。‥‥‥操作された判断された場合、‥‥‥操作されたｍａｐボタン１６２に対応する位置情報に対して、図１７のフローチャートで説明した位置検索処理により、位置検査が行われ‥‥‥」との記載（当審注：「操作された判断された場合、」、及び「位置検査」は、それぞれ、「操作されたと判断された場合、」、「位置検索」の誤記と認められる。）、上記（ｆ）の「【００７２】図１７は、位置検索処理の詳細を説明するフローチャートである。このフローチャートの処理は、位置検索部１１７により、‥‥‥都道府県名が一致するデータがCD-ROM１１９に記憶されているか否かが判断される。」との記載、及び上記（ｇ）の「【００７５】‥‥‥一致する都道府県名がCD-ROM１１９に記憶されていると判断された場合、‥‥‥CD-ROM１１９に記憶されているデータに、‥‥‥市区町村と一致するデータが存在するか否かが判断される」との記載から、ｍａｐボタンが操作された場合に、ｍａｐボタンに対応する住所の位置情報に対して行われる位置検索は、、ＣＤ−ＲＯＭに一致するデータが記憶されているか否か判断されるものであって、ＣＤ−ＲＯＭは、「位置情報データベース」としての機能を有していると捉えることができ、また、上記イから、引用例１の「パーソナルコンピュータ」は「位置検索部」、「地図読み込み部」を備えるものであることから、引用例１に記載の「パーソナルコンピュータ」は、「ｍａｐボタンが操作された場合に、ｍａｐボタンに対応する位置情報に対して、位置情報データベースを用いて、位置検索処理が行われ、検索した位置に関するデータを地図読み込み部に出力する、位置検索部」を備えるものということができる。
　
キ　上記（ａ）の「‥‥‥【解決手段】‥‥‥位置検索部１１７は、検索した位置に関するデータを地図読み込み部１１８に出力する。地図読み込み部１１８は、入力した位置に関するデータに基づいて、地図データが記録されているCD-ROM１１９から地図データを読み出し、その読み出した地図データを地図表示部１１３により表示させる。」との記載、上記（ｉ）の「【００９１】‥‥‥位置検索処理により、位置検査が行われ、その検索された位置を含む地図が、‥‥‥表示される。」との記載（当審注：「位置検査」は「位置検索」の誤記と認められる。）において、上記（ｄ）の「【００３７】‥‥‥地図読み込み部１１８は、‥‥‥位置検索部１１７から出力されたデータに基づいて、‥‥‥CD-ROM１１９から地図データを読み出し、その読み出した地図データを地図表示部１１３に表示させる。」との記載から、「ＣＤ−ＲＯＭ」は、「地図情報データベース」と捉えることができ、また、上記イから、引用例１の「パーソナルコンピュータ」は、「表示部（地図表示部）」、「地図読み込み部」を備えるものであるから、引用例１に記載の「パーソナルコンピュータ」は、「位置検索部から検索された位置に関するデータに基づいて、地図情報データベースから、検索された位置を含む地図データを読み出し、その読み出した地図データを地図表示部に表示させる地図読み込み部を備える」ものということができる。
　
　上記引用例１に記載された事項、図面の記載、及び上記アないしキ、及び、上記アのパーソナルコンピュータは、情報処理装置に対応するものであることを総合すると、引用例１には、次の発明が記載されている（以下「引用発明」という。）。  
　 
「ＨＴＭＬにより作成された、テキスト文書を含むＷＥＢページを画面上に表示する情報処理装置において、
　情報処理装置は、
ＷＥＢページに表示されるテキスト文書中から、住所、電話番号の位置情報文字列を検出する処理を行うkey抽出部と、
　位置情報文字列が抽出されると、ＷＥＢページのＨＴＭＬを書き換えて、抽出された位置情報文字列の近傍に、ｍａｐボタンを表示し、
　ｍａｐボタンが操作された場合に、ｍａｐボタンに対応する位置情報に対して、位置情報データベースを用いて、位置検索処理が行われ、検索した位置に関するデータを地図読み込み部に出力する、位置検索部と、
　位置検索部から検索された位置に関するデータに基づいて、地図情報データベースから、検索された位置を含む地図データを読み出し、その読み出した地図データを地図表示部に表示させる地図読み込み部を備える、
情報処理装置。」
　
　
（２）原査定の拒絶の理由に引用され、本願の出願の日前に頒布された刊行物である特開平７−２８８１３号公報には、図面とともに以下の事項が記載されている（以下、「引用例２」という。なお、下線は当審で付した。）。　 
　
　「【００１０】以上のように構成された文書作成支援装置について、その動作を説明する。
（１）
入力部１０１に、オペレータは文章を入力する。
（２）
住所抽出部１０３は、入力された文章中に、地図記憶部１０２に記憶された住所情報と同じ住所情報が含まれるかを解析し、住所情報を抽出する。
（３）
地図抽出部１０４は、住所抽出部１０３で抽出された住所情報に該当する地図を地図記憶部１０４から得る。
（４）目的地印付け部１０５は、地図抽出部１０４で得られた地図に対して、住所抽出部１０３で得られた住所情報に対応する場所に印付けを行う。
（５）修正指定部１０６は、地図の切り出し方を指定する。指定方法として、（ａ）車で来る人用、（ｂ）電車で来る人用、があるとする。
（６）地図修正部１０７は、修正指定部１０６で指定された地図の切り出し方に従って、印付けされた地図から最適な領域を切り出す。修正指定部１０６で『車で来る人用』と指定された場合は、目的地と、目標となりやすい主要交差点を含めた範囲を切り出す。もし『電車で来る人用』と指定された場合は、目的地と、最寄りの駅を含めた範囲を切り出す。
（７）
文書編集部１０８は、入力部１０１で入力された文章と、
地図とを合成する。
（８）
出力部１０９は、文書編集部１０８で合成された地図入り文書を出力する。
‥‥‥（略）‥‥‥」
　
　引用例２には、次の事項が記載されているということができる。
　
　「入力された文章中から抽出された住所情報に該当する地図を地図記憶部から得、入力された文章と、地図とを合成し、合成された地図入り文書を出力する技術。」
　
　
（３）原査定の拒絶の理由に引用され、本願の出願の日前に頒布された刊行物である特開２０００−３３７９１１号公報には、図面とともに以下の事項が記載されている（以下、「引用例３」という。なお、下線は当審で付した。）。　
　
「【００６２】図６は、このときの処理を示すフローチャートである。図６において、ブラウザ側では、ウェブページが表示されているときに（ステップＳ１）、その
ウェブページ上に、
住所や電話番号の文字列が含まれていたら、その文字例が抽出され
【００６３】サーバでは、この文字例が受信される（ステップＳ５）。そして、
この文字列によりデータベースが検索され
ウェブページから抽出された住所や電話番号の文字列に対応する位置情報（緯度、経度）が算出される
　
「【００６８】
【発明の効果】この発明によれば、インターネットの
ウェブページで送られてくる情報の中から、住所や電話番号等、場所を特定するための文字情報を抽出する。
この抽出された文字情報を、住所や電話番号から位置情報（緯度、経度）を検索する
検索された位置情報
を目的地としてナビゲーションシステムに設定する。
ウェブページで紹介されている観光地や、レストラン情報、ホテル情報等ある場所を地図上に表示させたり
することができる
　
　引用例３には、次の事項が記載されているということができる。
　
　「ウェブページ上に、住所や電話番号の文字列が含まれていたら、その文字列が抽出され、この文字列によりデータベースが検索され、ウェブページから抽出された住所や電話番号の文字列に対応する位置情報（緯度、経度）を算出し、ナビゲーションスシステムの地図上に表示する技術。」
　　
　
（４）平成２４年６月２７日付けの審尋において援用された、平成２３年８月１日付けの前置報告において周知例として引用され、本願の出願の日前に頒布された刊行物である特開平９−３１１８７３号公報には、図面とともに以下の事項が記載されている（以下、「周知例」という。なお、下線は当審で付した。）。　
　
「【００３２】
例えば、所定の条件に合った店の場所を知りたいとする。
位置検索のＷＷＷのページがユーザ端末１５のディスプレイに表示される。
入力された項目を基に、
店の位置する緯度、経度情報が検索される。検索された緯度、経度情報
が送られると、サーバ１１に蓄えられている地図情報の中から、その位置に対応する地図情報が検索される。
入力した店の地図がユーザ端末１５のディスプレイに表示される。
　
「【００３５】
イベントやショッピング等のガイド情報
【００３６】
このようなガイド情報のＷＷＷのページ中に、商店やイベントの会場等を地図で示したいことがある。
【００３７】すなわち、
図５に示すガイド情報のＷＷＷのページ中、ＭＡＰで示す部分には、地図が表示されている。
ガイド情報と、
地図情報とが合成され、図５に示すような、地図ＭＡＰを含むガイド情報のページが表示される。
　
「【００３９】このように、この発明が適用されたシステムには、地図情報をＷＷＷで提供するデータベースセンタ１が設けられている。この地図情報を提供するデータベースセンタ１を利用すると、
緯度や経度等の位置情報から、その位置を含む地図情報を抽出することができる。
店名やイベント会場の名前からその場所の位置を検索して
ガイド情報の中に地図情報を埋め込んだりすることが簡単に行なえるようになる。
　
　周知例には、次の事項が記載されているということができる。
　
ア　「イベントやショッピング等のガイド情報のＷＷＷのページ中に、商店やイベントの会場等の地図を合成して、地図を含むガイド情報のページを表示する技術。」（段落【００３５】〜段落【００３７】）
　
イ　「ＷＷＷのページに入力された店から、店の位置する緯度、経度情報を検索し、この緯度、経度の位置情報から、その位置を含む地図情報を抽出する技術。」(段落【００３２】、段落【００３９】）
　
　
３　対比  
　 
　本願補正発明と引用発明とを対比する。  
　 
（１）引用発明の「ＨＴＭＬにより作成された、テキスト文書を含むＷＥＢページを画面上に表示する情報処理装置」は、本願補正発明と、「記述言語により作成された所定形式のテキスト文書を画面上に表示する情報処理装置」である点で共通する。
　 
（２）引用発明の「ＷＥＢページに表示されるテキスト文書中から、住所、電話番号の位置情報文字列を検出する処理を行うkey抽出部」は、本願補正発明と、「前記画面上に表示された所定形式のテキスト文書中の位置情報文字列を自動的に抽出する位置情報文字列抽出手段」である点で共通する。
　
（３）引用発明の「位置情報に対して、位置情報データベースを用いて、位置検索処理が行われ、検索した位置に関するデータを地図読み込み部に出力する、位置検索部」において、引用発明の「位置情報」は、「ＷＥＢページに表示されるテキスト文書中から、住所、電話番号の位置情報文字列を検出」して得られたものであり、また、位置の情報は、地点の情報を含むので、「位置情報データベース」は、「地点情報データベース」と捉えることができるから、本願補正発明と引用発明とは、「前記位置情報文字列抽出手段により抽出された前記位置情報文字列の示す住所または電話番号の地点情報を地点情報データベースで探索し、探索されたその地点情報が示す情報を生成する地点探索手段」である点で共通する。
　
（４）引用発明の「位置検索部から検索された位置に関するデータに基づいて、地図情報データベースから、検索された位置を含む地図データを読み出し、その読み出した地図データを地図表示部に表示させる地図読み込み部」において、「位置検索部から検索された位置に関するデータに基づいて、」「読み出す」「地図データ」は、検索された位置の周辺の地図画像とすることが常套手段であるから、引用発明の「位置検索部から検索された位置に関するデータに基づいて、地図情報データベースから、検索された位置を含む地図データを読み出し、その読み出した地図データを地図表示部に表示させる地図読み込み部」は、本願補正発明と、「前記地点探索手段により生成された情報をもとに、地図情報データベースから地図情報を読みだして上記情報の周辺の地図画像を生成する地図画像生成手段」である点で共通する。
　
（５）引用発明の「地図読み込み部」は、「地図データを地図表示部に表示させる」ものであって、上記（４）に記載したように、「位置検索部から検索された位置に関するデータに基づいて、」「読み出す」「地図データ」は、検索された位置の周辺の地図画像とすることが常套手段であるから、本願補正発明と「前記地図画像生成手段により生成された上記情報の周辺の地図画像を」「表示」する点で共通する。
　
　すると、本願補正発明と引用発明とは、次の＜一致点＞及び＜相違点＞を有する。  
　 
＜一致点＞  
「記述言語により作成された所定形式のテキスト文書を画面上に表示する情報処理装置において、
　前記画面上に表示された所定形式のテキスト文書中の位置情報文字列を自動的に抽出する位置情報文字列抽出手段と、
　前記位置情報文字列抽出手段により抽出された前記位置情報文字列の示す住所または電話番号の地点情報を地点情報データベースで探索し、探索されたその地点情報が示す情報を生成する地点探索手段と、
　前記地点探索手段により生成された情報をもとに、地図情報データベースから地図情報を読みだして上記情報の周辺の地図画像を生成する地図画像生成手段と、
　前記地図画像生成手段により生成された上記情報の周辺の地図画像を表示する情報処理装置。」
　 
　 
＜相違点＞  
　 
（ア）本願補正発明が、「文書中に少なくとも画像情報を埋め込むことができる」ものであって、周辺の地図画像を「前記画面上に表示された所定形式のテキスト文書中に合成するテキスト文書合成手段とを備え、前記テキスト文書合成手段により合成された所定形式のテキスト文書を前記画面上に」表示するものであるのに対し、引用発明は、「抽出された位置情報文字列の近傍に、ｍａｐボタンを表示し、ｍａｐボタンが操作された場合に、」「地図データを地図表示部に表示させる」ものである点。
　
（イ）本願補正発明は、探索されたその地点情報が示す「緯度経度情報」を生成するものであるのに対し、引用発明は、「緯度経度情報」を生成することについて特定がない点。
　
（ウ）地図画像を生成にあたり、本願補正発明は、前記地点探索手段により生成された「緯度経度情報」をもとに、地図情報データベースから地図情報を読みだして「上記緯度経度情報」の周辺の地図画像を生成するのに対し、引用発明は、緯度経度情報をもとに、緯度経度情報の周辺の地図画像を生成することについて、特定がない点。
　
　
４　判断  
　 
＜相違点＞（ア）について  
　一般に、情報処理装置において、文書中に画像情報を埋め込むことは、周知慣用技術であり、また、地図画像を、前記画面上に表示された所定形式のテキスト文書中に合成して画面上に表示することは、例えば、引用例２(上記２（２））、周知例(上記２（４）ア）に記載されているように、周知技術である。そして、テキスト文書、及びこれに関連する画像情報を、それぞれ切り換えて別の画面（ページ）に出力するか、一括して一の画面（ページ）に出力するかは、ページのサイズやテキスト文書、画像情報のサイズ、及び見やすさ等を考慮して当業者が適宜選択し得る事項であるから、引用発明のように、「抽出された位置情報文字列の近傍に、ｍａｐボタンを表示し、ｍａｐボタンが操作された場合に、」「地図データを地図表示部に表示させる」こと、すなわち、地図データを別の画面に切り換えて表示することに代えて、周辺の地図画像を、画面上に表示された所定形式のテキスト文書中に合成し、合成された所定形式のテキスト文書を画面上に表示することは、当業者が適宜なし得る事項である。
　
　よって、本願補正発明の上記＜相違点＞（ア）に係る構成のようにすることは、格別なことではない。
　
（なお、請求人は、平成２４年７月１７日付け回答書において、「上記前置報告書において挙げられた上記文献４（特開平９−３１１８７３号公報）に記載の技術においては、‥‥‥（略）‥‥‥ガイド情報のＷＷＷページ中の地図表示位置としては、ＭＡＰで示す部分が予め用意されており、このＭＡＰで示す部分に地図情報データベースセンターのサーバから取り出された地図情報が表示されるものです。‥‥‥（略）‥‥‥地図情報無しの文字のみのテキスト文書中に地図情報を表示するための新たなレイアウトを生成して上記地図情報を自動的に合成した新たなＨＴＭＬ文書などのテキスト文書を作成するものでもありません。」旨、主張しているが、地図情報無しの文字のみのテキスト文書中に地図情報を表示するために、新たなレイアウトを生成することについては、本願補正発明において特定されておらず、また、本願明細書の発明の詳細な説明をみてもどのようにして新たなレイアウトを生成しているのか記載されていないから、請求人の前記主張を採用することができない。）
　 
　
＜相違点＞（イ）（ウ）について 
　一般に、住所、電話番号等から、緯度経度情報を生成し、この緯度経度情報に基づいて、周辺の地図画像を生成することは、周知であるから（上記引用例３（上記２（３））、上記周知例（上記２（４）イ））、引用発明の「検索した位置に関するデータ」として、「緯度、経度情報」を用い、「緯度経度情報」をもとに、地図情報データベースから地図情報を読みだして「上記緯度経度情報」の周辺の地図画像を生成することは、当業者が適宜なし得る事項である。
　
　よって、本願補正発明の上記＜相違点＞（イ）（ウ）に係る構成のようにすることは、格別なことではない。
　
　
　そして、上記相違点を総合的に判断しても、本願補正発明が奏する効果は引用発明及び周知技術から当業者が十分に予測できたものであって格別なものとはいえない。  
　 
　したがって、本願補正発明は、引用発明及び周知技術に基づいて当業者が容易に発明をすることができたものであるから、特許法第２９条第２項の規定により特許出願の際独立して特許を受けることができない。  
　 
　 
５　本件補正についてのむすび  
　 
　以上のとおり、本件補正は、平成１８年改正前の特許法第１７条の２第５項で準用する同法第１２６条第５項の規定に違反するので、同法第１５９条第１項の規定において読み替えて準用する同法第５３条第１項の規定により却下すべきものである。  
　 
　 
第３　本願発明について  
　 
１　本願発明  
　 
　平成２３年６月２９日付けの手続補正は上記のとおり却下されたので、本願の請求項に係る発明は、特許請求の範囲の請求項１ないし１４に記載された事項により特定されるものであるところ、請求項１に係る発明（以下「本願発明」という。）は、上記「第２［理由］１　」の本件補正前の「請求項１」として記載したとおりのものである。　
　
２　引用例  
　
　原査定の拒絶の理由で引用された引用例、周知例及びその記載事項は、上記「第２［理由］　２　引用例及びその記載事項」に記載したとおりである。  
　
３　対比・判断  
　
　本願発明は、上記「第２」で検討した本願補正発明の「地図情報データベースから地図情報を読みだして上記緯度経度情報の周辺の地図画像を生成する」との発明特定事項、及び「前記地図画像生成手段により生成された上記緯度経度情報の周辺の地図画像」との発明特定事項から、それぞれ、「上記緯度経度情報の」、「上記緯度経度情報の周辺の」との限定を削除して、「地図情報データベースから地図情報を読みだして周辺の地図画像を生成する」、「前記地図画像生成手段により生成された地図画像」としたものである。  
　
　そうすると、本願発明の特定事項を全て含み、更に他の特定事項を付加したものに相当する本願補正発明が前記「第２　［理由］　４　判断」に示したとおり、引用発明及び周知技術に基づいて、当業者が容易に発明をすることができたものであるから、本願発明も、同様の理由により、引用発明及び周知技術に基づいて当業者が容易に発明をすることができたものである。  
　
４　むすび  
　
　以上のとおり、本願発明は、特許法第２９条第２項の規定により特許を受けることができないものであるから、その余の請求項に論及するまでもなく、本願は拒絶すべきものである。  
　
　よって、結論のとおり審決する。